(57)【要約】      （修正有）【課題】吸着装置により安定して保持され、搬送等をスムースに行えるトレイ及び吸着構造を提供する。【解決手段】トレイは、板状のトレイ本体１１と、このトレイ本体１１の面に縦方向及び横方向に沿って所定間隔毎に複数設けられ、チップを収容可能なポケット１２Ａを形成する隆起部１２と、隣接する隆起部１２相互間に形成された溝１３とを備えて構成されている。トレイは、吸着装置２０を介して吸着保持可能に設けられている。吸着装置２０は、吸引部２５が形成された保持面を備えている。溝１３の一部には、隣り合う隆起部１２に連なる連結体１６が設けられ、前記吸着状態で、連結体１６及びこれに連なる隆起部１２により囲まれる溝１３内の空間Ｓが、保持面により閉塞可能に設けられている。【選択図】図２
2006278521.tif 000002
【特許請求の範囲】
【請求項１】
所定の吸着装置の保持面に形成された吸引部により空気を吸引したときに、当該保持面側に吸着保持可能に設けられたトレイであって、
前記保持面に沿って配置可能なトレイ本体と、このトレイ本体の面から突出する形状を備えてチップを収容可能なポケットを内側に形成する複数の隆起部と、隣接する隆起部相互間に形成された溝とを備え、
前記溝の一部に、隣り合う隆起部に連なる連結体を設け、前記吸着状態で、連結体及び当該連結体に連なる隆起部により囲まれる溝内の空間が、前記保持面により閉塞可能に設けられていることを特徴とするトレイ。
【請求項２】
前記連結体は、溝の底部から立設されて隆起部と略同一高さとなる片状体により形成されていることを特徴とする請求項１記載のトレイ。
【請求項３】
前記連結体及び当該連結体に連なる隆起部は、平面視でトレイ本体の中央領域に設けられていることを特徴とする請求項１記載のトレイ。
【請求項４】
所定の吸着装置を介してトレイを吸着保持するトレイの吸着構造において、
前記吸着装置は、吸引部が形成された保持面を含み、この吸引部から空気を吸引することで保持面側にトレイを吸着保持可能に設けられ、
前記トレイは、保持面に沿って位置可能なトレイ本体と、このトレイ本体の面から突出する形状を備えてチップを収容可能なポケットを内側に形成する複数の隆起部と、隣接する隆起部相互間に形成された溝とを備え、
前記溝の一部に、隣り合う隆起部に連なる連結体を設け、前記吸着状態で、連結体及び当該連結体に連なる隆起部により囲まれる溝内の空間が、前記保持面により閉塞されることを特徴とするトレイの吸着構造。
【発明の詳細な説明】
【技術分野】
【０００１】
本発明は、トレイ及びその吸着構造に係り、更に詳しくは、吸着装置による吸着保持の安定化を図ることができるトレイ及びその吸着構造に関する。
【背景技術】
【０００２】
従来より、複数枚のチップを搬送するためのトレイが利用されており、このトレイとしては、図７〜図９に示されるタイプのものがある。同図において、トレイ５０は、板状をなすトレイ本体５１に形成されて内部にチップＣをそれぞれ収容する複数のポケット５２を備えている。各ポケット５２は、トレイ本体５１の上面より突出する隆起部５３の内部に形成され、隣接する隆起部５３相互間には溝５５が形成されている。図８に示されるように、溝５５内には、平面視方形状をなす壁体５６が立設され、当該壁体５６の高さは、隆起部５３の高さより高く設定されている（図９参照）。ここで、前記トレイ５０を搬送する場合には、図９に示されるような吸着装置５８が用いられ、この吸着装置５８の保持面５９（図９中下面）を前記壁体５６の上端面に当接し、保持面５９に形成された穴状の吸引部６０から空気を吸引して壁体５６の内部を負圧化することによりトレイ５０が吸着保持されることとなる。
【発明の開示】
【発明が解決しようとする課題】
【０００３】
しかしながら、このような構成にあっては、壁体５６が複数の隆起部５３を囲うように連続的に形成されるので、壁体５６の重量が増大してトレイ５０全体も高重量化し、トレイ５０の吸着保持姿勢が不安定になり易くなる。しかも、隆起部５３とは離れた位置に壁体５６が形成されるので、その内部における空気の吸引空間が大きくなり、ひいては、トレイ５０に付与される吸着力が低下してトレイ５０を安定的に保持することが困難になるという不都合を生じる。この結果、搬送中にトレイ５０の位置ずれが生じ易くなって当該トレイ５０の位置を修正或いは調整する作業が必要となったり、トレイ５０の不用意なる落下によりチップＣを損傷させる可能性が高くなるという不都合を招来する。
【０００４】
［発明の目的］
本発明は、このような不都合に着目して案出されたものであり、その目的は、吸着装置により安定して保持され、搬送等をスムースに行うことができるトレイ及びその吸着構造を提供することにある。
【課題を解決するための手段】
【０００５】
前記目的を達成するため、本発明は、所定の吸着装置の保持面に形成された吸引部により空気を吸引したときに、当該保持面側に吸着保持可能に設けられたトレイであって、
前記保持面に沿って配置可能なトレイ本体と、このトレイ本体の面から突出する形状を備えてチップを収容可能なポケットを内側に形成する複数の隆起部と、隣接する隆起部相互間に形成された溝とを備え、
前記溝の一部に、隣り合う隆起部に連なる連結体を設け、前記吸着状態で、連結体及び当該連結体に連なる隆起部により囲まれる溝内の空間が、前記保持面により閉塞可能に設けられる、という構成が採用されている。
【０００６】
本発明において、前記連結体は、溝の底部から立設されて隆起部と略同一高さとなる片状体により形成されることが好ましい。
【０００７】
また、前記連結体及び当該連結体に連なる隆起部は、平面視でトレイ本体の中央領域に設けられる、という構成も好ましくは採用される。
【０００８】
更に、本発明のトレイの吸着構造は、所定の吸着装置を介してトレイを吸着保持するトレイの吸着構造において、
前記吸着装置は、吸引部が形成された保持面を含み、この吸引部から空気を吸引することで保持面側にトレイを吸着保持可能に設けられ、
前記トレイは、保持面に沿って位置可能なトレイ本体と、このトレイ本体の面から突出する形状を備えてチップを収容可能なポケットを内側に形成する複数の隆起部と、隣接する隆起部相互間に形成された溝とを備え、
前記溝の一部に、隣り合う隆起部に連なる連結体を設け、前記吸着状態で、連結体及び当該連結体に連なる隆起部により囲まれる溝内の空間が、前記保持面により閉塞される、という構成が採用される。
【発明の効果】
【０００９】
本発明によれば、連結体及びこれに連なる隆起部により、保持面により閉塞されつつ、吸引部により空気が吸引されて吸着力を受ける吸引領域が形成される。つまり、前記吸引領域が隆起部を利用して形成される分、連結体の形成領域が従来構造の壁体よりも縮小でき、これにより、トレイ全体の軽量化を通じて吸着保持を安定して行うことが可能となる。また、隣り合う隆起部間に連結体を設ければよいので、前記吸引領域の形成位置の自由度を高め、適度な吸着力が発揮するようなサイズ若しくは形状に吸引領域を容易に設定することが可能となる。これにより、トレイの搬送中における位置ずれを抑制して当該搬送を迅速且つスムースに行えるようになる。
【００１０】
また、各連結体が隆起部と略同一高さとなる片状体からなるので、これによっても、連結体ができるだけ軽くなるように形成することが可能となる。
【００１１】
更に、トレイ本体の中央領域に各連結体及び当該連結体に連なる隆起部を設けたから、当該中央領域一箇所だけを吸着した場合であっても、吸着装置の保持面にトレイを安定して保持させることができる。
【発明を実施するための最良の形態】
【００１２】
以下、本発明の好ましい実施の形態について図面を参照しながら説明する。
【００１３】
図１には、実施形態に係るトレイの平面図が示され、図２には、その部分拡大図が示されている。これらの図において、トレイ１０は、樹脂材料を用いた一体成形品により構成され、複数枚のチップＣ（図３参照）を同時に収納可能に設けられている。トレイ１０は、平面視略長方形状をなす板状のトレイ本体１１と、このトレイ本体１１の面から突出する形状を有するとともに、図１中縦方向及び横方向に沿って所定間隔毎に複数設けられた隆起部１２と、隣接する隆起部１２相互間に略格子状に形成された溝１３とを備えて構成されている。
【００１４】
前記トレイ１０は、図３に示されるように、吸着装置２０により吸着保持可能に設けられている。この吸着装置２０は、トレイ本体１１の上面に沿って位置可能な保持面２１を下面に備えた板状若しくはシート状をなすクッション材２２と、このクッション材２２を上側から支持する支持部材２４とを備え、図示しない駆動装置を介して所定方向に移動可能に設けられている。保持面２１は、図２中縦２列及び横３列に並ぶ各ポケット１２の上部領域を閉塞可能な大きさの平面視方形状に設けられている。保持面２１の面内中央部には、丸穴からなる吸引部２５が形成されている一方、支持部材２４の上部には、前記吸引部２５に連通する吸気管２６が設けられている。吸気管２６は、図示しないポンプに接続されており、このポンプを作動させることにより、吸気管２６を介して吸引部２５から空気が吸引されるようになっている。
【００１５】
前記各隆起部１２は、略方形の平面形状に設けられるとともに、図３中上面側を凹状に窪ませることでポケット１２Ａをそれぞれ形成している。各ポケット１２Ａは、内部に前記チップＣをそれぞれ収容可能に設けられており、当該チップＣとしては、特に限定されるものでないが、ＢＧＡ型若しくはＣＳＰ型等の面実装型が例示できる。各ポケット１２Ａの下方には、トレイ本体１１の下面より突出する膨出部１４がそれぞれ設けられ、各膨出部１４は、ポケット１２Ａより若干小さい平面サイズに形成されている。従って、複数のトレイ１０を重ねたときに、上段のトレイ１０の膨出部１４が、下段のトレイ１０のポケット１２Ａに嵌り合うようになっている。ここで、図１及び図２に示されるように、平面視でトレイ本体１１の中央領域に位置する隆起部１２の間には、溝１３の底部から立設する連結体１６が設けられている。
【００１６】
前記連結体１６は、トレイ本体１１の面内中央部１１Ａ上に吸着装置２０の吸引部２５を配置して吸着状態としたときに、平面視で前記保持面２１の領域内に収まる各隆起部１３に連なって設けられている。これを更に詳述すると、上下方向に延びる４つの縦壁部１７と、左右方向に延びる２つの横壁部１８とを備え、縦壁部１７は、平面視で吸引部２５に重なって位置する２つの隆起部１２，１２のコーナー部と、当該隆起部１２，１２の図２中上下方向に隣り合う４つの隆起部１２のコーナー部とを相互に連結するようにそれぞれ設けられている。また、横壁部１８は、前記縦壁部１７が形成された６つの隆起部１２のうち、図２中上下両側の左右に相互に隣り合う隆起部１２のコーナー部同士を連結するようにそれぞれ形成されている。図３及び図４にも示されるように、各縦壁部１７及び横壁部１８は、隆起部１２の高さと略同一高さを有する片状体からなり、隆起部１２の上端面と、各縦壁部１７及び横壁部１８の上端面とが略面一となって前記保持面２１に当接するようになっている。
【００１７】
以上の構成において、吸着装置２０を介してトレイ１０を吸着保持する場合、先ず、吸着装置２０を移動し、平面視でトレイ本体１１の面内中央部１１Ａと吸引部２５とが一致するように保持面２１をトレイ本体１１の上面側に配置する。このとき、図２中網点で示した空間Ｓ、すなわち、連結体１６を構成する各縦壁部１７及び横壁部１８と、これに連なる隆起部１２とにより囲まれる溝１３内の空間Ｓが保持面２１により閉塞されて略密閉された状態となり、また、保持面２１により覆われるポケット１２Ａも閉塞される。その後、前記ポンプ（図示省略）を作動させて吸引部２５より空気を吸引する。これにより、吸引部２５に重なる二つのポケット１２Ａ，１２Ａ内（図２中網掛け線で表すポケット１２Ａ，１２Ａ）の他、前述の網点で図示した空間Ｓの内部の空気が吸引部２５により吸引されて負圧化され、トレイ１０が保持面２１側に吸着保持される。
【００１８】
従って、このような実施形態によれば、各縦壁部１７及び横壁部１８だけでなく隆起部１２の形成面を利用して前記空間Ｓを形成することができる。つまり、空間Ｓを形成するために縦壁部１７及び横壁部１８を形成する領域をできるだけ少なくすることができ、トレイ１０全体の軽量化が達成され、ひいては、吸着装置２０によるトレイ１０の保持姿勢を安定的に維持することが可能となる。しかも、縦壁部１７及び横壁部１８の高さを隆起部１２と同一としたので、これによっても、トレイ１０の軽量化に寄与することが可能となる。
【００１９】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２０】
例えば、前記吸引部２５は、図示構成例に限られず、複数箇所に散点的に小穴を設けたり、吸気を行う領域をポーラス体で形成したりしてもよい。
【００２１】
また、連結体１６を縦壁部１７及び横壁部１８等の形成位置は、種々の設計変更が可能であり、例えば、図５及び図６に示される構成に代替することが可能である。図５において、縦壁部１７及び横壁部１８は、各隆起部１２の同図中上下方向中央部若しくは左右方向中央部に連なって設けられている。また、図６のように、斜め方向に隣り合う隆起部１２，１２の間に連なる傾斜壁部１９を設け、保持面２１により閉塞される空間Ｓ（同図中網点で示す）を形成してもよい。要する、本発明は、溝１３の一部に連結体１６を設け、当該連結体１６とこれに連なる隆起部１２により、前述の空間Ｓと同様の作用を奏する空間を形成することにより足りる。
【図面の簡単な説明】
【００２２】
【図１】実施形態に係る収納容器の概略平面図。
【図２】図１のＡ部拡大図。
【図３】図２のＢ−Ｂ線に沿う断面図。
【図４】図２のＣ−Ｃ線に沿う断面図。
【図５】変形例に係る図２と同様の拡大図。
【図６】他の変形例に係る図２と同様の拡大図。
【図７】従来例に係る収納容器の図１と同様の平面図。
【図８】図７のＤ部拡大図。
【図９】図８のＥ−Ｅ線に沿う断面図。
【符号の説明】
【００２３】
１０・・・トレイ、１１・・・トレイ本体、１２・・・隆起部、１２Ａ・・・ポケット、１３・・・溝、１６・・・連結体、２０・・・吸着装置、２１・・・保持面、２５・・・吸引部、Ｃ・・・チップ
【図１】
2006278521.tif 000003
【図２】
2006278521.tif 000004
【図３】
2006278521.tif 000005
【図４】
2006278521.tif 000006
【図５】
2006278521.tif 000007
【図６】
2006278521.tif 000008
【図７】
2006278521.tif 000009
【図８】
2006278521.tif 000010
【図９】
2006278521.tif 000011